(57)【要約】【課題】知的財産に関する専門的な知識を要さなくても、技術動向をより的確に把握することが可能な特許マップを提供する。【解決手段】本発明の特許マップ表示装置は、ユーザが操作可能なユーザ端末に特許マップを表示する特許マップ表示装置であって、ユーザがユーザ端末に入力した指示情報を取得する情報取得部と、先行する特許情報を記憶する文献ＤＢと、指示情報を前記特許情報と比較する比較部と、比較部に基づき指示情報と特許情報を比較することにより指示情報の特許評価を行う評価部と、を備える分析部と、特許評価を含む属性情報に基づき前記指示情報の分析結果に関する、属性を表すマップおよびキャラクターを生成する生成部と、キャラクターをマップに配置する配置部と、を備える特許マップ生成部と、特許マップ生成部により生成された特許マップを表示する表示部と、を備えることを特徴とする。【選択図】図２
2020095669.tif 000002
【特許請求の範囲】
【請求項１】
ユーザが操作可能なユーザ端末に特許マップを表示する特許マップ表示装置であって、
先行する特許情報を記憶する文献データベースと、
前記ユーザがユーザ端末に入力した指示情報を取得する情報取得部と、
前記指示情報を前記特許情報と比較する比較部と、前記比較部に基づき前記指示情報と前記特許情報を比較することにより前記指示情報の特許評価を行う評価部と、を備える分析部と、
前記特許評価を含む属性情報に基づき前記指示情報の分析結果に関する、属性を表すマップおよびキャラクターを生成する生成部と、前記キャラクターを前記マップに配置する配置部と、を備える特許マップ生成部と、
前記特許マップ生成部により生成された特許マップを表示する表示部と、を備える特許マップ表示装置。
【請求項２】
前記分析結果に基づき、前記指示情報および前記特許情報の件数と属性を抽出し集計する集計部を、さらに備えることを特徴とする請求項１に記載の特許マップ表示装置。
【請求項３】
前記集計部は、前記特許情報の特許請求の範囲の文字数を集計する機能を有し、
前記特許評価は、前記特許情報の特許請求の範囲の文字数に応じて決定する請求項２に記載の特許マップ表示装置。
【請求項４】
前記特許マップ生成部は、前記属性情報に基づき、前記キャラクターに関する属性を決定し、
前記集計部は、前記件数に応じたキャラクターの数を決定することを特徴とする請求項２または３に記載の特許マップ表示装置。
【請求項５】
前記集計部は、
前記分析結果を、同一の発明者または出願人毎に抽出し集計を行い、
前記特許マップ生成部は、
当該抽出し集計した結果に基づき、同一の発明者または出願人毎に前記キャラクターを互いに隣接して配置することを特徴とする請求項２または３に記載の特許マップ表示装置。
【請求項６】
前記集計部は、
前記分析結果を、異なる発明者または出願人毎に抽出し集計を行い、
前記特許マップ生成部は、
当該抽出し集計した結果に基づき、異なる発明者または出願人毎に前記キャラクターの着衣の色を変更することを特徴とする請求項２から５いずれか１項に記載の特許マップ表示装置。
【請求項７】
前記集計部は、
前記属性情報に基づき、技術分類を抽出し集計を行い、
前記特許マップ生成部は、
当該抽出し集計した結果に基づき、技術的に類似する技術分類毎に前記キャラクターの容姿を決定し、前記キャラクターを互いに隣接して配置することを特徴とする請求項２から６いずれか１項に記載の特許マップ表示装置。
【請求項８】
前記集計部は、
前記属性情報に基づき、特許評価を抽出し集計を行い、
前記特許マップ生成部は、
当該抽出し集計した結果に基づき、前記特許評価毎に前記キャラクターが所持するアイテムまたはキャラクターのレベルを決定することを特徴とする請求項２から７いずれか１項に記載の特許マップ表示装置。
【請求項９】
前記集計部は、前記技術分類を抽出し集計した結果に基づき、技術的に類似する技術分類毎に分類グループを設定し、
前記特許マップ生成部は、前記分類グループ毎に前記マップの地形を決定することを特徴とする請求項７に記載の特許マップ表示装置。
【請求項１０】
前記属性情報には、技術分類または時間情報が含まれ、
前記特許マップ生成部は、
前記技術分類または前記時間情報に応じて、前記キャラクターの容姿および前記マップの地形を変更することを特徴とする請求項１から９いずれか１項に記載の特許マップ表示装置。
【請求項１１】
前記属性情報には、技術分類または時間情報が含まれ、
前記特許マップ生成部は、
前記分類グループ毎に異なるマップの地形上に、当該地形に対応した前記技術分類または前記時間情報に対応したキャラクターを配置することを特徴とする請求項９に記載の特許マップ表示装置。
【請求項１２】
前記特許マップ生成部は、時刻の変化を示す時間軸を表す情報バ―を生成する機能を有し、
前記配置部は、
時刻の経過にしたがって、前記マップに、前記キャラクターを配置するとともに前記情報バ―を前記時刻の経過の方向に沿って配置可能とすることを特徴とする請求項１から１１いずれか１項に記載の特許マップ表示装置。
【請求項１３】
前記キャラクターの移動を制御する制御部を、さらに備え、
前記キャラクターは前記分析結果に応じて前記マップ上を移動することが可能であり、
前記制御部は、
前記分析結果に基づく特許評価が高い場合には前記キャラクターの広い領域を移動するように制御し、
前記分析結果に基づく特許評価が低い場合には前記キャラクターの移動領域を狭くするように制御することを特徴とする請求項１から１２いずれか１項に記載の特許マップ表示装置。
【請求項１４】
前記特許マップ生成部は、
前記特許評価のランク情報に応じてキャラクターのレベルを変更することを特徴とする請求項１から１３いずれか１項に記載の特許マップ表示装置。
【請求項１５】
前記特許マップ生成部は、
前記特許評価のランク情報が所定のレベル以上である場合、前記レベルに応じた、戦士、猛獣、肉食動物、大型動物、戦車、ロボットを模した形態のキャラクターを配置することを特徴とする請求項１から１４いずれか１項に記載の特許マップ表示装置。
【請求項１６】
前記分析部は、
前記属性情報に基づき、出願国または発明者の国籍を判別し、
前記特許マップ生成部は、
前記出願国または前記発明者の国籍に応じて、前記キャラクターの着衣を前記出願国または前記発明者の国籍の民族衣装に変更することを特徴とする請求項１から１５いずれか１項に記載の特許マップ表示装置。
【請求項１７】
前記ユーザは前記指示情報の入力時に発明者が所属する組織情報を含ませることが可能であり、
前記特許マップ生成部は、
前記組織情報に基づき、発明者が所属する組織を判別し、
前記組織毎に、前記キャラクターの着衣を決定することを特徴とする請求項１から１６いずれか１項に記載の特許マップ表示装置。
【請求項１８】
前記ユーザは前記指示情報の入力時に発明者が所属する組織毎の資産情報を含ませることが可能であり、
前記特許マップ生成部は、
前記資産情報に基づき前記キャラクターが備える食糧の蓄積量を決定し、蓄積量に応じた食糧を、前記キャラクターとともに前記マップ上に配置することを特徴とする請求項１から１７いずれか１項に記載の特許マップ表示装置。
【請求項１９】
前記分析部は、前記属性情報に基づき出願日を判別し、
前記特許マップ生成部は、当該判別された出願日に応じて、前記キャラクターの年齢を変更することを特徴とする請求項１から１８いずれか１項に記載の特許マップ表示装置。
【請求項２０】
ユーザが操作可能なユーザ端末に特許マップを表示する特許マップ表示方法であって、
文献データベースに先行する特許情報を記憶するステップと、
前記ユーザが指示情報を入力する入力ステップと、
前記指示情報を前記特許情報と比較する比較ステップと、前記比較ステップに基づき前記指示情報と前記特許情報を比較することにより前記指示情報の特許評価を行う評価ステップと、を備える分析ステップと、
前記特許評価を含む属性情報に基づき前記指示情報の分析結果に関する、属性を表すマップおよびキャラクターを生成する生成ステップと、前記キャラクターを前記マップに配置する配置ステップと、を備える特許マップ生成ステップと、
前記特許マップ生成ステップにより生成された特許マップを表示する表示ステップと、を備える特許マップ表示方法。
【請求項２１】
ユーザが操作可能なユーザ端末に特許マップを表示する特許マップ表示プログラムであって、
コンピュータに、
文献データベースに先行する特許情報を記憶する機能と、
前記ユーザが指示情報を入力する入力機能と、
前記指示情報を前記特許情報と比較する比較機能と、前記比較機能に基づき前記指示情報と前記特許情報を比較することにより前記指示情報の特許評価を行う評価機能と、を備える分析機能と、
前記特許評価を含む属性情報に基づき前記指示情報の分析結果に関する、属性を表すマップおよびキャラクターを生成する生成機能と、前記キャラクターを前記マップに配置する配置機能と、を備える特許マップ生成機能と、
前記特許マップ生成機能により生成された特許マップを表示する表示機能と、
を実現させるための、特許マップ表示プログラム。
【発明の詳細な説明】
【技術分野】
【０００１】
本発明は、特許マップ表示装置及び特許マップ表示方法並びに特許マップ表示プログラムに関する。
【背景技術】
【０００２】
近年、特許評価を視覚的に表す特許マップを生成する装置が開発されている。特許文献１には、地形マップ、企業別発明者、技術分類、特許件数、出願件数、製品/特許の収益等の属性情報を、含む特許関連ツールに基づき、特許マップを生成して表示する内容が開示されている。
【先行技術文献】
【特許文献】
【０００３】
【特許文献１】米国特許第７９６６３２８号公報
【発明の概要】
【発明が解決しようとする課題】
【０００４】
特許文献１によれば、膨大な量の特許情報を自動処理して特許マップを生成することができ、様々な観点から、特許出願の状況を把握するための情報を得ることが可能である。
【０００５】
しかしながら、特許文献１に開示された技術では、個々の特許情報に関する属性情報を容易に把握することが困難であるという問題がある。
【０００６】
そのため、個々の特許情報に関する属性情報を容易に把握することができる特許マップを表示することが可能な技術の開発が望まれる。
【０００７】
そこで、本発明は、個々の特許情報に関する属性情報を容易に把握することができる特許マップ表示装置及び特許マップ表示方法並びに特許マップ表示プログラムを提供することを目的とする。
【課題を解決するための手段】
【０００８】
本発明の一実施形態における特許マップ表示装置は、ユーザが操作可能なユーザ端末に特許マップを表示する特許マップ表示装置であって、先行する特許情報を記憶する文献データベースと、ユーザがユーザ端末に入力した指示情報を取得する情報取得部と、指示情報を特許情報と比較する比較部と、比較部に基づき指示情報と特許情報を比較することにより指示情報の特許評価を行う評価部と、を備える分析部と、特許評価を含む属性情報に基づき指示情報の分析結果に関する、属性を表すマップおよびキャラクターを生成する生成部と、キャラクターを前記マップに配置する配置部と、を備える特許マップ生成部と、特許マップ生成部により生成された特許マップを表示する表示部と、を備えることを特徴とする。
【０００９】
本発明の一実施形態における特許マップ表示装置は、分析結果に基づき、前記指示情報および前記特許情報の件数と属性情報を抽出し集計する集計部を、さらに備えることとしてもよい。
【００１０】
本発明の一実施形態における特許マップ表示装置は、キャラクターの移動を制御する制御部を、さらに備え、キャラクターは前記分析結果に応じて前記マップ上を移動することが可能であり、制御部は、分析結果に基づく特許評価が高い場合には前記キャラクターの広い領域を移動するように制御し、分析結果に基づく特許評価が低い場合にはキャラクターの移動領域を狭くするように制御することとしてもよい。
【００１１】
本発明の一実施形態における特許マップ表示装置において、集計部は、特許情報の特許請求の範囲の文字数を集計する機能を有し、特許評価は、特許情報の特許請求の範囲の文字数に応じて決定することとしてもよい。
【００１２】
本発明の一実施形態における特許マップ表示装置において、特許マップ生成部は、属性情報に基づき、前記キャラクターに関する属性を決定し、集計部は、件数に応じたキャラクターの数を決定することとしてもよい。
【００１３】
本発明の一実施形態における特許マップ表示装置において、集計部は、分析結果を、同一の発明者または出願人毎に抽出し集計を行い、特許マップ生成部は、抽出し集計した結果に基づき、同一の発明者または出願人毎に前記キャラクターを互いに隣接して配置することとしてもよい。
【００１４】
本発明の一実施形態における特許マップ表示装置において、集計部は、分析結果を、異なる発明者または出願人毎に抽出し集計を行い、特許マップ生成部は、抽出し集計した結果に基づき、異なる発明者または出願人毎に前記キャラクターの着衣の色を変更することとしてもよい。
【００１５】
本発明の一実施形態における特許マップ表示装置において、集計部は、属性情報に基づき、技術分類を抽出し集計を行い、特許マップ生成部は、当該抽出し集計した結果に基づき、技術的に類似する技術分類毎に前記キャラクターの容姿を決定し、前記キャラクターを互いに隣接して配置することとしてもよい。
【００１６】
本発明の一実施形態における特許マップ表示装置において、集計部は、属性情報に基づき、特許評価を抽出し集計を行い、特許マップ生成部は、当該抽出し集計した結果に基づき、前記特許評価毎に前記キャラクターが所持するアイテムまたはキャラクターのレベルを決定することとしてもよい。
【００１７】
本発明の一実施形態における特許マップ表示装置において、集計部は、技術分類を抽出し集計した結果に基づき、技術的に類似する技術分類毎に分類グループを設定し、特許マップ生成部は、分類グループ毎にマップの地形を決定することとしてもよい。
【００１８】
本発明の一実施形態における特許マップ表示装置において、属性情報には、技術分類または時間情報が含まれ、特許マップ生成部は、技術分類または前記時間情報に応じて、キャラクターの容姿およびマップの地形を変更することとしてもよい。
【００１９】
本発明の一実施形態における特許マップ表示装置において、属性情報には、技術分類または時間情報が含まれ、特許マップ生成部は、分類グループ毎に異なるマップの地形上に、当該地形に対応した技術分類または時間情報に対応したキャラクターを配置することとしてもよい。
【００２０】
本発明の一実施形態における特許マップ表示装置において、特許マップ生成部は、時刻の変化を示す時間軸を表す情報バ―を生成する機能を有し、配置部は、時刻の経過にしたがって、マップに、キャラクターを配置するとともに前記情報バ―を時刻の経過の方向に沿って配置可能とすることとしてもよい。
【００２１】
本発明の一実施形態における特許マップ表示装置において、特許マップ生成部は、特許評価のランク情報に応じてキャラクターのレベルを変更することとしてもよい。
【００２２】
本発明の一実施形態における特許マップ表示装置において、特許マップ生成部は、特許評価のランク情報が所定のレベル以上である場合、レベルに応じた、戦士、猛獣、肉食動物、大型動物、戦車、ロボットを模した形態のキャラクターを配置することとしてもよい。
【００２３】
本発明の一実施形態における特許マップ表示装置において、分析部は、属性情報に基づき、出願国または発明者の国籍を判別し、特許マップ生成部は、出願国または発明者の国籍に応じて、キャラクターの着衣を出願国または発明者の国籍の民族衣装に変更することとしてもよい。
【００２４】
本発明の一実施形態における特許マップ表示装置において、ユーザは前記指示情報の入力時に発明者が所属する組織情報を含ませることが可能であり、特許マップ生成部は、組織情報に基づき、発明者が所属する組織を判別し、組織毎に、前記キャラクターの着衣を決定することとしてもよい。
【００２５】
本発明の一実施形態における特許マップ表示装置において、ユーザは指示情報の入力時に発明者が所属する組織毎の資産情報を含ませることが可能であり、特許マップ生成部は、資産情報に基づき前記キャラクターが備える食糧の蓄積量を決定し、蓄積量に応じた食糧を、キャラクターとともにマップ上に配置することとしてもよい。
【００２６】
本発明の一実施形態における特許マップ表示装置において、分析部は、属性情報に基づき出願日を判別し、特許マップ生成部は、当該判別された出願日に応じて、キャラクターの年齢を変更することとしてもよい。
【００２７】
本発明の一実施形態における特許マップ表示方法において、ユーザが操作可能なユーザ端末に特許マップを表示する特許マップ表示方法であって、文献データベースに先行する特許情報を記憶するステップと、ユーザが指示情報を入力する入力ステップと、指示情報を特許情報と比較する比較ステップと、比較ステップに基づき指示情報と特許情報を比較することにより指示情報の特許評価を行う評価ステップと、を備える分析ステップと、特許評価を含む属性情報に基づき前記指示情報の分析結果に関する、属性を表すマップおよびキャラクターを生成する生成ステップと、キャラクターをマップに配置する配置ステップと、を備える特許マップ生成ステップと、特許マップ生成ステップにより生成された特許マップを表示する表示ステップと、を備えることを特徴とする。
【００２８】
本発明の一実施形態における特許マップ表示プログラムにおいて、ユーザが操作可能なユーザ端末に特許マップを表示する特許マップ表示プログラムであって、コンピュータに、文献データベースに先行する特許情報を記憶する機能と、ユーザが指示情報を入力する入力機能と、指示情報を前記特許情報と比較する比較機能と、前記比較機能に基づき前記指示情報と前記特許情報を比較することにより前記指示情報の特許評価を行う評価機能と、を備える分析機能と、特許評価を含む属性情報に基づき指示情報の分析結果に関する、属性を表すマップおよびキャラクターを生成する生成機能と、前記キャラクターを前記マップに配置する配置機能と、を備える特許マップ生成機能と、特許マップ生成機能により生成された特許マップを表示する表示機能と、を実現させることを特徴とする。
【発明の効果】
【００２９】
本発明によれば、個々の特許情報に関する属性情報を容易に把握することができるため、知的財産に関する専門的な知識を要さなくても、技術動向をより的確に把握することが可能な特許マップを提供することが可能となる。
【図面の簡単な説明】
【００３０】
【図１】本発明の実施形態に係る特許マップ表示装置の構成例を示す図である。
【図２】本発明の実施形態に係る特許マップ表示装置を示すブロック図である。
【図３】本発明の実施形態に係るユーザ端末へ出力される特許マップの態様の例を示す図である。
【図４Ａ】本発明の実施形態に係る技術分類または時間情報に応じたマップの態様の例を示す模式図である。
【図４Ｂ】本発明の実施形態に係る技術分類または時間情報に応じたマップの態様の例を示す模式図である。
【図５Ａ】本発明の実施形態に係るユーザ端末へ出力されるマップに配置されるキャラクターの容姿の例を示す図である。
【図５Ｂ】本発明の実施形態に係るユーザ端末へ出力されるマップに配置されるキャラクターの容姿の例を示す図である。
【図５Ｃ】本発明の実施形態に係るユーザ端末へ出力されるマップに配置されるキャラクターの容姿の例を示す図である。
【図５Ｄ】本発明の実施形態に係るユーザ端末へ出力されるマップに配置されるキャラクターの容姿の例を示す図である。
【図５Ｅ】本発明の実施形態に係るユーザ端末へ出力されるマップに配置されるキャラクターの容姿の例を示す図である。
【図６】本発明の実施形態に係る特許マップ表示装置の表示動作例を示すフローチャートである。
【図７】特許マップに帯状の情報バ―を表示した態様の例を示す図である。
【図８Ａ】本発明の実施形態に係るユーザ端末へ出力される特許評価の分析結果の態様の例を示す俯瞰図である。
【図８Ｂ】本発明の実施形態に係るユーザ端末へ出力される特許評価の分析結果の態様の例を示すチャートである。
【発明を実施するための形態】
【００３１】
まず、本願の明細書中で使用する語句および用語の意味を定義する。
【００３２】
「特許」とは、人間の知的活動によって生み出されたアイデアや創作物である。また、特許に関する情報（以下、「特許情報」という）は、例えば、特許の内容を説明するための文書、特許の内容を説明するための図、表、グラフ、スケッチもしくは写真（図等）、または図等を説明する文書等であってもよい。本実施形態において特許情報とは、上述した特許に係る権利取得の可能性を判定するための情報である。特許に係る権利とは特許権である。特許に係る権利取得の可能性を判定するための情報とは、特許要件を満たしているか否かを判定するための情報である。権利取得の可能性を判定するための情報は、発明の内容を示す文章（特許請求の範囲の記載、発明の課題または発明の目的等）または図面等の情報である。また、特許情報には、出願公開された公開特許、権利の設定登録がされ発行された登録特許のみならず、出願人自身の未公開出願特許、出願を断念したアイデアが含まれる。
【００３３】
また、「指示情報」とは、評価の対象となる技術の内容を示す情報であって、技術内容が特定可能なキーワードを含む情報である。例えば、指示情報とは、研究に関する情報または特許情報等である。研究に関する情報は、論文等の原案であってもよく、研究に関する情報が記載されたメモ、研究に関連するキーワード、又は、作成済み若しくは作成中の論文等の書類であってもよい。特許情報は、特許出願の原案であってもよく、発明に関する情報が記載されたメモ、発明に関連するキーワード、又は、作成済み若しくは作成中の特許出願、実用新案登録出願等の書類であってもよい。
【００３４】
また、「属性情報」とは、マップの地形およびキャラクターの容姿等の形態を構成する属性を示す複数の情報である。属性情報には、例えば、特許評価、ランク情報、レベル情報、アイデア創出年月日、公開公報の発行日、当該公開公報に係る出願書類の提出日（すなわち出願年月日）、公開年月日、登録年月日、発行年月日、当該公開公報に係る出願において受領した拒絶理由通知書の回数、該拒絶理由通知書における内容、該拒絶理由通知書に対する応答の内容、該公開公報に係る出願において行われた補正の回数、該補正の内容、独立請求項の文字数、請求項の数、残存する存続期間、権利の生死情報等、が含まれる。特許マップ表示装置は、特許評価を含む属性情報に基づき指示情報の分析結果に関する、属性を表すマップおよびキャラクターを生成する。
【００３５】
また、本実施形態において特許と称するものには、実用新案を含むものである。即ち、本実施形態に係る特許マップ表示装置１は、特許および実用新案を含むが、これを単に特許と称することにする。
【００３６】
本発明の実施形態について、図面を参照して説明する。
【００３７】
図１は、本発明の実施形態に係る特許マップ表示装置１の構成例を示す図である。図１に示すように、特許マップ表示装置１は、ユーザ端末１００と接続し、該ユーザ端末１００に対して特許マップを表示するための装置である。本実施形態に係る特許マップ表示装置１によれば、ユーザ端末１００に特許マップを表示させることができる。ユーザ端末１００には、例えばパーソナルコンピュータ、ｉＰａｄ（登録商標）、タブレット、スマートフォン等のユーザが操作可能な端末が含まれる。特許マップ表示装置１は、ネットワークＮＷを介して特許庁等のデータベース１１０に接続されており、特許情報を入手することができる。このようにして入手した特許情報は、特許マップ表示装置１が備える文献データベース（ＤＢ）２０（図２参照）に格納される。なお、特許情報は、情報を格納可能な記憶媒体に特許庁等のデータベース１１０内の特許情報を記憶させて、特許マップ表示装置１に該記憶媒体を接続または挿入することによって入力してもよい。記憶媒体とは、例えばハード・ディスク、フロッピー（登録商標）ディスク、磁気ストリップ等の磁気記憶装置、コンパクト・ディスク（ＣＤ）、ＤＶＤ等の光ディスク、スマート・カード、フラッシュ・メモリ・デバイス等を含む。
【００３８】
図２は、本発明の実施形態に係る特許マップ表示装置１を示すブロック図である。図２に示すように、特許マップ表示装置１は、情報取得部１０と、文献データベース２０と、分析部３０と、特許マップ生成部４０と、表示部５０と、記憶部６０と、を含む。
【００３９】
特許マップ表示装置１は、ユーザ端末１００の入力欄に評価対象を表す技術内容を示す情報（以下、「指示情報」という）が入力されると、指示情報を取得する。指示情報の取得は情報取得部１０が行う。情報取得部１０にて取得した指示情報は、分析部３０に入力され所定の分析処理が行われる。分析部３０は比較部３１と評価部３２を含んで構成されている。比較部３１は、ユーザ端末１００に入力した指示情報と、文献データベース２０に格納されている複数の先行特許情報とを比較する。比較結果を評価部３２に入力することにより、指示情報の評価が行われる。評価は、評価対象を表す指示情報の権利取得可能性を含むことができる。
【００４０】
評価は、例えば、ユーザの評価対象を表す指示情報と先行する複数の特許情報の一致の程度をスコア算出し、構成要件毎の一致の程度を、機械学習により算出されたスコアを用いることによって行う。スコアは、一致の程度に応じて、例えば、「Ｓ」、「Ａ」、「Ｂ」または「Ｃ」という記号で表現されてもよく、「Ｓ」、「Ａ」、「Ｂ」、および「Ｃ」はそれぞれ、「全く記載なし」、「非類似」、「少し類似」、および「同一」と意味することとしてもよい。
【００４１】
評価部３２は、複数の先行特許情報を用いて機械学習に用いる学習データを予め生成し、該学習データおよび該複数の特許情報から指示情報を評価してもよい。
【００４２】
また、評価部３２は、複数の先行特許情報を用いて機械学習させたモデルを用いて、指示情報を評価してもよい。
【００４３】
また、評価部３２は、過去に評価した評価対象を表す指示情報の分析結果をフィードバックすることによって記憶部６０に記憶しておき、機械学習に使用してもよい。これにより、評価部３２は、より精度の高い評価を行うことができる。
【００４４】
以上のように、評価部３２は、ユーザが入力欄に入力した指示情報と、複数の先行特許情報との比較および当該指示情報の評価を行うことによって、より実際の審査結果に近い評価を可能とすることができる。すなわち、評価対象を表す指示情報に対し、異なる文言でありながら同じ意味を示す技術文言を含む文献情報に対する比較および評価を可能とし、より実際の審査結果に近い評価が可能とすることができる。比較および評価に基づく分析結果は抽出され集計処理が行われる。そして、その結果は特許マップ生成部４０に入力される。特許マップ表示装置１は、分析結果の抽出および集計処理を行う集計部（図示せず）を備えていてもよい。
【００４５】
特許マップ生成部４０は生成部４１と配置部４２で構成されている。生成部４１は特許マップ２００を構成するマップ２１０およびキャラクター２２０を生成し、マップ２１０にキャラクター２２０を配置することにより特許マップ２００を生成する。詳細は後述する。
【００４６】
そして、表示部５０は、生成された特許マップ２００の表示をユーザ端末１００に行う。例えば、表示部５０が特許マップ生成部４０に出力指示を出すことによって、ユーザ端末１００に特許マップ２００の画像を出力し表示処理を行う。
【００４７】
記憶部６０は、特許マップ表示装置１が動作するうえで必要とする各種プログラムおよびデータを記憶する機能を有する。記憶部６０は、例えば、ＨＤＤ（Hard Disc Drive）、ＳＳＤ（Solid State Drive）、フラッシュメモリ等の各種の記録媒体である。
【００４８】
なお、特許マップ２００の表示は、検索した日時とともに記憶部６０に格納することができる。格納された情報は、ユーザ端末１００にいつでも表示し閲覧することができる。
【００４９】
具体的には、記憶部６０は、ユーザ端末１００に入力する評価対象を表す技術内容を示す指示情報、指示情報に基づいて検出された類似の特許情報、後述するマップ２１０およびキャラクター２２０等の情報を記憶することができる。
【００５０】
特許マップ表示装置１は、プログラムを実行することにより、ユーザが評価対象を表す技術内容を入力するだけで、文献データベース２０に格納されている特許情報の中から、類似特許情報を検索（抽出）することができる。そして、抽出された各特許情報が分析部３０において所定の分析処理が行われ特許マップが生成され、ユーザ端末１００に特許マップ２００が表示される。
【００５１】
上記構成によれば、特許マップ表示装置１によって得られる情報をユーザによりわかりやすくかつ簡易に与えることができ、また、技術の知識に乏しいユーザであっても、わかりやすく当該技術に関する情報および、当該情報の傾向を得ることができる。
【００５２】
図３は、本発明の第一実施形態に係る特許マップを示す模式図である。特許マップとは、一般的には先行技術の調査や技術動向調査等を行う上で、膨大な情報から必要な情報のみを効率よく描画するため、図・グラフ・表等の方法で視覚化した資料のことをいう。すなわち、特許マップとは、膨大な特許情報から出願人や特許分類を特定の技術情報集合を抽出したい場合、出願人や特許分類の時系列傾向を図・グラフ・表等を描いて分析するためのツールのことをいう。
【００５３】
以上の通り、特許マップとは、特定の技術情報集合に関する出願人や特許分類の時系列傾向を視覚的に示す図・グラフ・表等のことである。換言すれば、特許マップとは、技術動向の傾向をビジュアル的に分かり易く示す道標として図・グラフ・表等を描画し、特定の技術情報集合、時系列情報等を形状、記号、文字等を組み合わせて平面上に模式的に図示してマッピング表示したものをいう。
【００５４】
本実施形態において、特許マップ２００はマップ２１０とキャラクター２２０により構成されている。キャラクター２２０は様々な技術情報（指示情報、特許情報等）の指標を示し、マップ２１０はキャラクター２２０が配置される描画領域を示す。図３に示すように、マップ２１０は、仮想の戦場を地形とした仮想戦場の形状（以下、「戦場マップ」という）を示し、キャラクター２２０は仮想戦場で戦う戦士（以下、単に「戦士」という）をそれぞれ示す。本実施形態に係る特許マップ２００は、戦場マップ２１０に戦士２２０を配置させ、平面上に模式的に図示して視覚的に表示したものをいう。記憶部６０には、複数種類の戦場マップ２１０および戦士２２０が格納されている。
【００５５】
記憶部６０は、分析部３０による分析結果に基づく属性に応じた様々な種類の戦場マップ２１０および戦士２２０を格納している。生成部４１は、記憶部６０に格納されている様々な種類の戦場マップ２１０および戦士２２０の中から、属性に応じた戦場マップ２１０および戦士２２０の形態を、生成（抽出）する。そして、配置部４２は、生成した戦場マップ２１０に戦士２２０を配置する。配置は、例えば、出願年月日、技術分類等の属性情報に基づいて決定される。決定は配置部４２が行う。続いて、配置部４２は、記憶部６０に格納されている様々な種類の戦場マップ２１０および戦士２２０の中から、出願年月日、技術分類を含む属性情報に応じた戦場マップ２１０の地形および戦士２２０容姿等の形態を、配置する。出願日、技術分類を含む各属性情報と、記憶部６０が格納する様々な種類の戦場マップ２１０および戦士２２０は、それぞれ対応付けられている。
【００５６】
集計部（図示せず）は、技術分類を抽出し集計した結果に基づき、技術的に類似する技術分類毎に分類グループを設定してもよい。技術分類が、例えば、国際特許分類ＩＰＣ（International Patent Classification）である場合、分類グループとは、「Ａセクション  生活必需品」、「Ｂセクション  処理操作；運輸」、「Ｃセクション  化学；冶金」、「Ｄセクション  繊維；紙」、「Ｅセクション  固定構造物」、「Ｆセクション  機械工学；照明；加熱；武器；爆破」、「Ｇセクション  物理学」、および「Ｈセクション  電気」の８分類に分類された技術的に類似する区分のことをいう。そして、生成部４１は、上記分類グループ毎に戦場マップ２１０の地形を決定してもよい。これら８つの分類グループに基づいて、戦場マップ２１０の地形を各々決定することによって、類似する技術分類の技術動向を即座に把握することができる。配置部４２は、技術分野の技術領域（分類グループ）毎に戦士２２０の配置を設定してもよい。なお、分類グループ毎に戦士２２０の容姿を決定してもよい。また、技術分類は、国際特許分類ＩＰＣに限らず、ＦＩ（Ｆｉｌｅ Iｎｄｅｘ）、Ｆターム、ＣＰＣ（Ｃｏｏｐｅｒａｔｉｖｅ Ｐａｔｅｎｔ Ｃｌａｓｓｉｆｉｃａｔｉｏｎ）等であってもよい。
【００５７】
比較および評価をした分析結果に基づき、戦士２２０に関する属性と、特許件数に応じた戦士２２０の数を決定する。表示部５０は、特許マップ２００をユーザ端末１００に表示する表示処理を行う。例えば、生成部４１は戦士２２０に関する属性を決定し、集計部（図示せず）は、戦士２２０の数を決定してもよい。
【００５８】
図４Ａ,Ｂは、本発明の実施形態に係る技術分類または時間情報に応じたマップの地形を示す模式図である。
【００５９】
記憶部６０には、複数種類の戦場マップ２１０および戦士２２０が格納されており、技術分類または出願年月日、登録年月日、アイデア創出年月日等の時間情報に応じて、図４Ａ,Ｂに示すような戦場マップ２１０の地形および戦士２２０の容姿を生成するように構成されている。技術分類または時間情報は、分析処理の結果に基づく属性情報に基づき決定されてもよい。記憶部６０には、技術分類または時間情報等の属性情報と、戦場マップ２１０および戦士２２０とが対応付けられて格納されており、技術分類または時間情報に応じた戦場マップ２１０および戦士２２０が生成されるようになっている。
【００６０】
なお、ユーザは、評価対象を表す技術内容に加え、国際特許分類ＩＰＣ等の技術分類または出願年月日といった時間情報を入力することも可能である。そして、生成部４１は、当該入力された技術分類または出願年月日に基づき、適合した戦場マップ２１０の地形および戦士２２０の容姿を決定してもよい。
【００６１】
戦場マップ２１０の地形および戦士２２０の容姿が技術分類または時間情報に応じて様々な形態に変化するため、戦士２２０の属性および数を把握するのが容易となり、戦士２２０のいない部分を技術分野の空白領域として認識することが可能になる。
【００６２】
また、発明の数に応じて、戦士２２０の数を決定している。戦士２２０の数は集計部（図示せず）が集計してもよい。
【００６３】
特許情報の技術内容の類似度に応じて、戦士２２０の配置関係を変化させている。例えば、特許情報の技術内容が類似している場合は、図５Ａに示すように戦士を互いに隣接して配置してもよい。例えば、技術内容が類似している戦士の容姿は同一または類似する場合が多く、このように容姿が類似する戦士同士をグループとして構成してもよい。そのため、技術内容が類似している戦士２２０を戦場マップ２１０に配置する場合、グループ配置してもよい。このように、戦士同士を隣接して配置すれば、類似する技術分野の集合を一目で把握することができる。特定の企業の技術動向を視覚的に即座に認識することができる。特許情報の技術内容が指示情報の技術内容と類似しているか否かの判断は、例えば、特許情報に付与されている国際特許分類ＩＰＣの一致度、類似度により判断する。この判断は、比較部３１が行う。
【００６４】
そして、生成部４２は、指示情報および類似する特許情報の技術内容の一致度、類似度に応じて、戦士２２０の容姿を変更することができる。例えば、分析結果を、同一の発明者または出願人毎に抽出および集計処理を行い、当該抽出および集計の結果に基づき、指示情報および特許情報の技術内容が類似関係にある場合は、技術的に類似する技術分類毎に戦士２２０の容姿を決定してもよい。また、配置部４１は、このような戦士同士を、互いに隣接して配置処理してもよい。
【００６５】
また、属性情報には、技術分類または出願年月日、登録年月日、アイデア創出年月日等の時間情報が含まれており、技術分類の類似の程度ばかりでなく時間情報の近似の程度よっても、戦場マップ２１０の地形および戦士２２０の容姿を変更してもよい。そして、生成部４１は、記憶部６０に格納されている様々な種類の戦場マップ２１０および戦士２２０の中から、属性に応じた戦場マップ２１０および戦士２２０の形態を、生成（抽出）する。続いて、配置部４２は、技術分類または時間情報を含む属性に対応した、戦場マップ２１０の地形上に、戦士２２０を配置する。例えば、発明者が所属する組織に応じて戦士２２０の着衣の色を変更してもよい。出願年月日、登録等の時間情報、および技術分類を含む各属性情報と、記憶部６０が格納する様々な種類の地形および戦士２２０の容姿は、それぞれ対応付けられている。
【００６６】
これにより、特定の発明者または出願人の、技術動向を容易に把握することが可能となる。なお、抽出および集計は、同一の発明者または出願人毎に限らず、異なる発明者または出願人毎であってもよい。この場合には、異なる発明者または出願人毎に戦士２２０の着衣の色を変更するように構成してもよい。例えば、生成部４１は、企業毎の資産情報に応じて着衣の色を変更するように処理してもよい。資産情報を含む各属性情報と、記憶部６０が格納する様々な種類の地形および戦士２２０の容姿等の形態は、それぞれ対応付けられている。
【００６７】
さらに、生成部４１は、特許マップ表示装置１のログインＩＤ情報によって、戦士２２０の着衣の色を変更するように処理してもよい。生成部４１は、記憶部６０に格納されている様々な種類の戦場マップ２１０および戦士２２０の中から、ログインＩＤ情報に応じた戦場マップ２１０および戦士２２０の形態を、生成（抽出）する。続いて、配置部４２は、ログインＩＤ情報に対応した、戦場マップ２１０の地形上に、戦士２２０を配置する。ログインＩＤ情報を含む各属性情報と、記憶部６０が格納する様々な種類の地形および戦士２２０の容姿は、それぞれ対応付けられている。
【００６８】
また、分析部３０により分析した分析結果を、異なる発明者または出願人毎に抽出および集計し、特許マップ生成部４０は、当該抽出および集計の結果に基づき、異なる発明者または出願人毎に戦士２２０の着衣の色を変更することとしてもよい。
【００６９】
特定の技術分野について、他の企業間または自社間の技術動向を把握する場合には有効である。
【００７０】
また、図５Ｂに示すように、分析部３０が属性情報から出願年月日を判別し、生成部４２が当該判別された出願年月日に応じて、戦士２２０の年齢を変更するように処理してもよい。出願年月日が新しい順に戦士２２０の年齢を変更してもよい。例えば、出願日が新しい場合は若い戦士２２０ａを生成してもよい。また、出願日が古い場合は老人の戦士２２０ｂを生成してもよい。
【００７１】
また、分析部３０による分析結果に基づき、生成部４２は、特許評価のランク情報（以下、適宜「ランク」という）に応じて戦士２２０のレベルを変更するように処理してもよい。レベルは、例えば、ランク情報以外の属性情報によって決定されてもよい。続いて、配置部４２は、特許評価のランクに対応した、戦場マップ２１０の地形上に、戦士２２０を配置する。特許評価のランクを含む各属性情報と、記憶部６０が格納する様々な種類の地形および戦士２２０の容姿は、それぞれ対応付けられている。
【００７２】
属性情報は、ランク情報以外に、例えば、アイデア創出年月日、公開公報の発行日、当該公開公報に係る出願書類の提出日（すなわち出願年月日）、公開年月日、登録年月日、発行年月日、当該公開公報に係る出願において受領した拒絶理由通知書の回数、該拒絶理由通知書における内容、該拒絶理由通知書に対する応答の内容、該公開公報に係る出願において行われた補正の回数、該補正の内容、独立請求項の文字数、請求項の数、残存する存続期間、権利の生死情報等、が含まれる。これらの属性情報に応じて、レベルが決定される。
【００７３】
技術分野に応じて、記憶部６０は各々の技術分類毎に複数種類の戦士を格納しており、生成部４１は、指示情報と先行する複数の特許情報の技術分類に適合した戦場マップ２１０および戦士２２０を、記憶部６０から抽出し生成する。例えば、生成部４１は、指示情報と先行する複数の特許情報の出願年月日、公開年月日、発行年月日の時期に応じて、記憶部６０に格納されている戦場マップの中から、時代背景に適合した戦場を示す戦場マップ２１０を生成してもよい。
【００７４】
また、図５Ｃに示すように、特許評価のランクが所定のレベル以上である場合、当該レベルに応じた、戦士、猛獣、肉食動物、大型動物、戦車、ロボットを模した形態の戦士２２０を、戦場マップ２１０に配置してもよい。分析部３０による分析結果に基づき、生成部４２は、レベルに応じて戦士２２０の容姿を変更するように構成してもよい。レベルは、例えば、ランク情報以外の属性情報によって決定されてもよい。続いて、配置部４２は、特許評価のランクに対応した、戦場マップ２１０の地形上に、戦士２２０を配置する。特許評価のランクを含む各属性情報と、記憶部６０が格納する様々な種類の地形および戦士２２０の容姿は、それぞれ対応付けられている。
【００７５】
また、図５Ｄに示すように、生成部４１は、特許評価毎に戦士２２０のレベルに応じて、戦士２２０のアイテムを槍や斧等の武器に変更してもよい。アイテムは、例えば、斧や槍等の武器であってもよいし、食糧であってもよい。食糧は、特許マップ生成部４０が、発明者が所属する組織の資産情報に基づき、戦士２２０が備える食糧の蓄積量を決定し、蓄積量に応じた食糧を、当該発明者の特許情報たる戦士２２０とともに、戦場マップ２１０に配置してもよい。ここで、資産情報とは、例えば、発明をするに際して、投じた費用、得た利益をいう。資金情報に基づき、戦士２２０が備える蓄積量に応じた食糧を戦場マップ２１０上に配置することにより、特許価値を視覚的に把握することも可能となる。
【００７６】
例えば、特許情報のランクが高く無効になりにくいと評価される場合には、戦士２２０が高アイテムを所持するように生成されてもよい。配置部４２は、ランクに応じて高い順に、強さの態様を表した戦士２２０をマップ２１０に配置してもよい。強さの態様は、アイテムによって表現され、例えば、ランクが高いと鉄砲を所持した戦士２２０が生成され、ランクが低くなるにつれて、剣→こん棒→素手と、段階的に、アイテムレベルが低くなるように戦士２２０を生成してもよい。
【００７７】
記憶部６０には、上記のような様々な種類（態様）の戦士２２０、および食糧が格納されており、各レベルにこれらのアイテムが対応付けられている。そして、生成部４１は、所定のレベルに達すると、当該レベルに応じた戦士２２０のアイテム（武器、食糧等）を生成するように構成されている。
【００７８】
また、図５Ｅに示すように、生成部４１は、指示情報および特許情報の出願国または発明者の国籍に応じて、戦士２２０の着衣を当該出願国の民族衣装に変化させてもよい。これにより、どの国に出願されたのかを、容易に把握することができる。記憶部６０には、様々な種類（態様）の戦士２２０が格納されており、指示情報および特許情報の出願国または発明者の国籍に、これらの国の民族衣装が対応付けられている。そして、生成部４１は、出願国または国籍に応じて、それぞれの国に対応した民族衣装の戦士２２０を生成するように構成されている。
【００７９】
以上のように、戦士同士を隣接して配置したり、戦士２２０の容姿を様々な形態に変更することによって、類似する技術分野の集合を一目で把握することができる。また、戦場マップ２１０の地形を変更することによって、指示情報および特許情報の技術分野、出願年度、登録年度等を容易に把握することができるとともに、特定の企業の技術動向を視覚的に認識することが可能になる。また、自社の技術動向を認識することができるのみならず、各企業の技術の強み、弱み、技術の空白領域を含めた総合的な技術動向を、瞬時に把握することができ、企業の経営戦略、事業戦略に有効に活用することができる。
【００８０】
また、権利化前の公開特許については、その後の審査過程の対応、権利取得の時期に応じて、戦士２２０の容姿や風貌が変化することになるため、戦士２２０の成長過程を視覚的に認識することができる。
【００８１】
このように、レベルに応じて、戦士２２０の容姿や風貌が変化するため、発明を創作する意欲を増進させることが可能になる。
【００８２】
図６は、本発明の第一実施形態に係る特許マップ表示装置１の動作例を示すフローチャートである。
【００８３】
文献データベース２０には先行する複数の特許情報が格納されており、図６に示すように、ユーザは、ユーザ端末１００の入力欄に評価対象を表す指示情報を入力する（Ｓ１）。指示情報は、評価の対象となる技術の内容を示す情報であって、技術内容が特定可能なキーワードを含む情報である。ユーザは、評価対象を表す技術内容のみならず、国際特許分類ＩＰＣ等の技術分類または出願年月日といった時間情報を入力することも可能である。ユーザ端末１００の入力欄に指示情報が入力されると、特許マップ表示装置１は、指示情報を取得する。指示情報の取得は情報取得部１０が行う。
【００８４】
続いて、取得した指示情報に基づき、分析部３０は、Ｓ１にて当該取得した評価対象を表す指示情報を分析する（Ｓ２）。
【００８５】
具体的には、Ｓ１にて取得した評価対象を表す指示情報と、文献データベース２０に格納された先行する複数の特許情報と、を分析部３０が備える比較部３１にて比較する。指示情報と特許情報を比較することによって、複数の特許情報と指示情報の技術内容が類似しているか否かの判断は、例えば、特許情報に付与されている国際特許分類ＩＰＣ（International Patent Classification）の一致度により判断する。なお、一致度は、国際特許分類ＩＰＣに限らず、ＦＩ（Ｆｉｌｅ Iｎｄｅｘ）、Ｆターム、ＣＰＣ（Ｃｏｏｐｅｒａｔｉｖｅ Ｐａｔｅｎｔ Ｃｌａｓｓｉｆｉｃａｔｉｏｎ）等により判断してもよい。
【００８６】
また、複数の特許情報と指示情報の技術内容が類似しているか否かの判断は、評価対象を表す指示情報と、文献データベース２０に格納された複数の特許情報とに含まれる技術的文言の関連性を比較によって行ってもよい。技術文言とは、技術情報に含まれる、文章、複数の文節の組み合わせ、文節、または単語である。また、判断は比較部３１が行い、指示情報、および先行する複数の特許情報に含まれる文章に対する、文章間の距離を比較することによって、類似しているか否かの判断を行ってもよい。
【００８７】
続いて、比較結果に基づき、評価部３２が指示情報の評価を行う。評価は、比較結果を評価部３２に入力することによって行う。
【００８８】
このように評価することによって、より実際の審査結果に近い評価を可能とすることができる。すなわち、評価対象を表す指示情報に対し、異なる文言でありながら同じ意味を示す技術文言を含む特許情報に対する比較および評価を可能とし、より実際の審査結果に近い評価を可能とすることができる。
【００８９】
続いて、生成部４１は、Ｓ２にて分析した特許評価を含む属性情報に基づき、指示情報の属性を表す戦場マップ２１０および戦士２２０を生成する（Ｓ３）。戦場マップ２１０および戦士２２０は、属性情報に関連して複数種類が記憶部６０に格納されており、当該属性情報に適合した戦場マップ２１０および戦士２２０を生成することができる。
【００９０】
具体的には、各属性情報と、複数種類の戦場マップおよび戦士とが各々対応付けられており、分析部３０において、指示情報と先行する複数の特許情報とを比較および評価することによって得られた分析結果に関する、属性を表す戦場マップ２１０および戦士２２０を生成する。
【００９１】
続いて、配置部４２は、Ｓ３にて生成した戦士２２０を戦場マップ２１０に配置することによって、特許マップ２００を生成する（Ｓ４）。なお、配置部４２は、指示情報および先行する特許情報の技術内容の一致度、類似度に応じて、戦士２２０の配置関係を変更してもよい。例えば、指示情報および特許情報の技術内容が類似関係にある場合は、戦士同士を互いに隣接して配置してもよい。
【００９２】
このように、戦士同士を隣接して配置することによって、類似する技術分野の集合を一目で把握することができる。特定の企業の技術動向を視覚的に即座に認識することができる。また、このような技術動向から自社または特定企業の出願傾向を容易に認識することができ、各企業の技術の強み、弱み、技術の空白領域を含めた総合的な技術動向を、瞬時に把握することができ、企業の経営戦略、事業戦略に有効に活用することができる。
【００９３】
以上のフローにより、Ｓ４にて生成した特許マップ２００は、ユーザ端末１００の入力欄に表示される（Ｓ５）。特許マップ２００の表示は、表示部５０が行う。例えば、表示部５０が特許マップ生成部４０に出力指示を出すことによって、ユーザ端末１００に特許マップ２００の画像が出力され表示される。
【００９４】
図７は、特許マップ２００に帯状の情報バ―３００を表示した態様の例を示す図である。生成部４１は、時刻の変化を示す時間軸を表す情報バ―３００を生成する機能を有する。図７に示すように、時刻の経過にしたがって、マップ２１０に、戦士２２０を配置するとともに情報バ―３００を時刻の経過の方向（図７では、２０００年から２０２０年に向かう矢印の方向）に沿って配置可能に構成してもよい。配置は、配置部４２が行う。情報バー３００は、時刻の変化を示す時間軸のことをいう。以上の配置により生成された特許マップ２００’は、ユーザ端末１００に表示される。ユーザ端末１００への表示は、表示部５０が行う。
【００９５】
このように、時刻の経過の方向に沿って、戦士２２０に加えて情報バー３００が、戦場マップ２１０に配置されるため、ユーザ自身が、過去に創出したアイデアの経緯（動向）を容易に把握することができる。このように生成（作成）された特許マップ２００’は記憶部６０に格納されており、ユーザは、自身のアイデアの創出時期に関する時系列の傾向（動向）を示す特許マップ２００’を、いつでも閲覧することができる。アイデアには、公開済の特許、未公開の特許、未出願の特許（出願を保留した発明、出願の断念した発明、ノウハウを含む）を含む。
【００９６】
これにより、自社技術の出願傾向、技術トレンド等をビジュアル的に確認でき、自社技術の保護が充分な分野と、保護が不十分な分野を明確に把握することができる。したがって、今後発明を創出し特許の保護を強化すべき分野を洗い出し、将来に向けた出願予測を行うことが可能である。
【００９７】
さらに、自社技術ばかりでなく他社技術の分析結果に基づく特許マップ２００’に、時刻の変化を示す時間軸に沿った情報バー３００を表示させることができる。これにより、時系列的に時代に適合した出願傾向、技術トレンド等を認識することができるとともに、各企業の技術の強み、弱み、技術の空白領域を含めた総合的な技術動向を、瞬時に把握することが可能である。したがって、特許マップ２００’企業の経営戦略、事業戦略に有効に活用することができる。
【００９８】
また、本実施形態によれば、戦場マップ２１０の地形および戦士２２０の容姿、例えば、戦士の着衣の色・所持する武器・年齢等によって、技術分野、評価（発明の強さ）を一目で認識することができる。そのため、容易に、時系列的に出願動向、技術トレンド等を把握することができる。特許マップ表示装置１によれば、ユーザは将来の出願傾向を推測することも可能となる。
【００９９】
さらに、図８Ａに示すように、自社技術のトレンドを俯瞰図２３０として、示すことも可能である。横軸は自社技術の親和性を示し、縦軸は市場性を示す。有望と推測される事業領域を一目で認識することができる。
【０１００】
また、図８Ｂに示すように、自社の核となるコア技術と他社の周辺技術をチャート２４０として、示すことができる。これにより、将来の候補事業領域を推測することができる。
【０１０１】
本実施形態によれば、特許マップ２００と、俯瞰図２３０と、チャート２４０と、を任意に切り替えユーザ端末１００に表示させることができる。切り替えは、ユーザ端末１００に備える切替部（図示せず）により行う。
【０１０２】
なお、本実施形態に係る特許マップ表示装置１によれば、戦士２２０は、戦場マップ２１０上を移動することができる。移動は、例えば、特許マップ表示装置１が備える制御部（図示せず）が行う。制御部は、分析結果に基づく特許評価に応じて、戦士２２０の移動距離を変更してもよい。例えば、移動は、評価の対象となる技術内容と複数の特許情報との一致の程度に応じて、評価の対象となる技術内容と複数の特許情報の類似度合いを判断する。制御部（図示せず）は、類似度合いが高い場合には、戦士２２０がマップ２１０上の広い領域を移動可能とするように制御してもよい。また、制御部（図示せず）は、類似度合いが低い場合には、戦士２２０がマップ２１０上の狭い領域を移動するにとどまるように制御してもよい。制御部（図示せず）は、戦士２２０が移動領域内を任意に移動可能に制御する。類似度合いは、特許請求の範囲の文字数に基づき判断してもよい。特許請求の範囲の文字数は、例えば、特許マップ表示装置１が備える集計部（図示せず）が行う。例えば、出願人が異なる場合、隣接する戦士２２０同士を戦わせてもよいし、移動中に他の戦士と遭遇した場合には、戦士同士を戦わせてもよい。高評価の特許を保有する出願人を容易に把握することができる。制御部（図示せず）は、戦士２２０の移動領域内での移動を可能とする機能を有する。例えば、制御部（図示せず）は、戦士２２０を、特許評価に対応して予め設定された移動領域にしたがって自律的に移動を行うように制御することができる。記憶部６０は、特許評価に対応した複数種類の移動領域を記憶することができる。特許評価ばかりでく、レベル、ランクによっても、戦士２２０を、予め設定された移動領域にしたがって自律的に移動を行うように制御することができる。
【０１０３】
制御部(図示せず)は、プログラムに含まれたコードまたは命令によって実現する機能を実行し、例えば、中央処理装置（Ｃｅｎｔｒａｌ Ｐｒｏｃｅｓｓｉｎｇ Ｕｎｉｔ）やマイクロプロセッサ（ｍｉｃｒｏｐｒｏｃｅｓｓｏｒ）、プロセッサコア（ｐｒｏｃｅｓｓｏｒ ｃｏｒｅ）、マルチプロセッサ（ｍｕｌｔｉｐｒｏｃｅｓｓｏｒ）、ＡＳＩＣ（Ａｐｐｌｉｃａｔｉｏｎ−ｓｐｅｃｉｆｉｃ Ｉｎｔｅｇｒａｔｅｄ ｃｉｒｃｕｉｔ）、ＦＰＧＡ（Ｆｉｅｌｄ ｐｒｏｇｒａｍｍａｂｌｅ Ｇａｔｅ Ａｒｒａｙ）である。なお、本発明において、制御部（図示せず）は、これらに限定されない。制御部（図示せず）は、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）等を備えていてもよい。制御部（図示せず）は、ＲＯＭに記憶させたプログラムをＲＡＭ上に展開して対応する処理をＣＰＵに実現させる。
【０１０４】
このように構成することにより、ユーザが入力した評価の対象となる技術の、権利範囲の広さを視覚的に把握することができる。なお、特許評価は、侵害容易の発見性と、無効性はそれぞれ出力形態が異なる。すなわち、類似度合いが高い特許は権利範囲が広く権利行使が容易であり侵害の回避が困難である。その反面、特許無効になる蓋然性を有している。この場合、戦士２２０はアイテムとしてレベルの低いこん棒を所持していてもよい。また、類似度合いが低い特許は権利範囲が狭く権利行使が困難であり侵害の回避が容易である。その反面、特許無効になり難い傾向がある。この場合、戦士２２０はアイテムとしてレベルの高い斧を所持していてもよい。記憶部６０には、上記のような様々な種類（態様）の戦士２２０が格納されており、各類似度合いにこれらのアイテムが対応付けられている。そして、生成部４１は、所定のレベルに達すると、当該レベルに応じた戦士２２０のアイテム（武器等）を生成するように構成されている。
【０１０５】
また、以上の説明において、本実施形態では、特許マップ２００を、仮想の戦場を地形とした戦場マップ２１０に、戦士２２０を配置して表現する場合について説明したが、本発明はこれに限定されない。
【０１０６】
さらに、本実施形態は、特許分析の支援ツールとしての特許マップについて説明したが、本発明はこれに限定されない。本発明は、特許分析以外にも意匠分析、商標分析の支援ツールとしても用いることができることはいうまでもない。ユーザがユーザ端末の入力欄に入力する内容は、意匠登録出願、商標登録出願などの原案であってもよく、知財に関する情報が記載されたメモ、知財に関連するキーワード、又は、作成済み若しくは作成中の商標登録出願、意匠登録出願、特許出願、実用新案登録出願などの書類であってもよい。
【０１０７】
上述したところは、代表的な実施形態の例を示したものであって、本発明はこの実施形態に限定されるものではない。
【符号の説明】
【０１０８】
１      特許マップ表示装置
１０    情報取得部
２０    文献データベース
３０    分析部
３１    比較部
３２    評価部
４０    特許マップ生成部
４１    生成部
４２    配置部
５０    表示部
【図１】
2020095669.tif 000003
【図２】
2020095669.tif 000004
【図３】
2020095669.tif 000005
【図４Ａ】
2020095669.tif 000006
【図４Ｂ】
2020095669.tif 000007
【図５Ａ】
2020095669.tif 000008
【図５Ｂ】
2020095669.tif 000009
【図５Ｃ】
2020095669.tif 000010
【図５Ｄ】
2020095669.tif 000011
【図５Ｅ】
2020095669.tif 000012
【図６】
2020095669.tif 000013
【図７】
2020095669.tif 000014
【図８Ａ】
2020095669.tif 000015
【図８Ｂ】
2020095669.tif 000016